(57)【要約】【課題】  画像データをスライドショー表示する際のユーザ利便性の向上を図った画像表示装置及びその制御方法を提供する。【解決手段】  画像表示装置は、複数の画像データが格納される、画像データ格納手段と、前記画像データ格納手段から画像データを順次読み出して、予め設定されたスライドショー設定情報に従って、連続的に画像データをスライドショー表示する、スライドショー表示手段と、ユーザからの指示に基づいて、前記スライドショー表示手段による画像データのスライドショー表示を一時的に停止する、一時停止手段と、前記一時停止手段で画像データのスライドショー表示を一時的に停止した際に表示していた画像データを特定する画像データ特定情報を記憶する、画像データ特定情報記憶手段と、前記画像データ特定情報記憶手段から、前記画像データ特定情報を読み出して、この画像データ特定情報で特定される画像データから、前記スライドショー表示を再開する、スライドショー再開手段と、を備える。【選択図】  図５
2006121644.tif 000002
【特許請求の範囲】
【請求項１】
複数の画像データが格納される、画像データ格納手段と、
前記画像データ格納手段から画像データを順次読み出して、予め設定されたスライドショー設定情報に従って、連続的に画像データをスライドショー表示する、スライドショー表示手段と、
ユーザからの指示に基づいて、前記スライドショー表示手段による画像データのスライドショー表示を一時的に停止する、一時停止手段と、
前記一時停止手段で画像データのスライドショー表示を一時的に停止した際に表示していた画像データを特定する画像データ特定情報を記憶する、画像データ特定情報記憶手段と、
前記画像データ特定情報記憶手段から、前記画像データ特定情報を読み出して、この画像データ特定情報で特定される画像データから、前記スライドショー表示を再開する、スライドショー再開手段と、
を備えることを特徴とする画像表示装置。
【請求項２】
前記一時停止手段が前記スライドショー表示を一時的に停止した後に、前記スライドショー設定情報の設定をユーザに変更させるためのメニュー画面を表示する、メニュー画面表示手段を、さらに備えることを特徴とする請求項１に記載の画像表示装置。
【請求項３】
前記メニュー画面表示手段により表示された前記メニュー画面に基づいて、ユーザが前記スライドショー設定情報を変更した場合には、前記スライドショー再開手段は、この変更されたスライドショー設定情報に基づいて、前記スライドショー表示を再開する、ことを特徴とする請求項２に記載の画像表示装置。
【請求項４】
前記スライドショー表示で画像データを表示する順序を格納する、表示順格納手段をさらに備えており、
前記表示順格納手段では、表示されている画像データと、その次に表示される画像データとが、１対１の関係で保持されている、ことを特徴とする請求項１乃至請求項３のいずれかに記載の画像表示装置。
【請求項５】
前記スライドショー設定情報には、画像を切り替える時間間隔を設定する情報が含まれている、ことを特徴とする請求項１乃至請求項４のいずれかに記載の画像表示装置。
【請求項６】
前記スライドショー設定情報には、どのような表示手法を用いて画像を切り替えるかを設定する情報が含まれている、ことを特徴とする請求項１乃至請求項５のいずれかに記載の画像表示装置。
【請求項７】
前記スライドショー設定情報には、前記スライドショー表示の際に流すＢＧＭに関する設定が含まれている、ことを特徴とする請求項１乃至請求項６のいずれかに記載の画像表示装置。
【請求項８】
スライドショー毎に前記スライドショー設定情報を保持する、スライドショー設定情報保持手段と、
前記メニュー画面表示手段により表示された前記メニュー画面に基づいて、ユーザが前記スライドショー設定情報を変更した場合には、この変更されたスライドショー設定情報を、スライドショーに対応付けて前記スライドショー設定情報保持手段に格納する、変更情報格納手段と、
をさらに備えていることを特徴とする請求項３に記載の画像表示装置。
【請求項９】
前記スライドショー設定情報保持手段には、１つのスライドショーに対応付けて、１つのスライドショー設定情報が保持されている、ことを特徴とする請求項８に記載の画像表示装置。
【請求項１０】
前記スライドショー設定情報保持手段には、１つのスライドショーに対応付けて、１又は複数のスライドショー設定情報が保持されている、ことを特徴とする請求項８に記載の画像表示装置。
【請求項１１】
前記スライドショー表示手段がスライドショー表示を開始する前に、前記スライドショー設定情報保持手段に保持されているスライドショー表示をしようとしているスライドショーに対応付けられて保持されている前記スライドショー設定情報の中から、ユーザに１つのスライドショー設定情報を選択させる、スライドショー設定情報選択手段を、さらに備えていることを特徴とする請求項１０に記載の画像表示装置。
【請求項１２】
複数の画像データが格納される、画像データ格納手段を有する画像表示装置の制御方法であって、
前記画像データ格納手段から画像データを順次読み出して、予め設定されたスライドショー設定情報に従って、連続的に画像データをスライドショー表示するステップと、
ユーザからの指示に基づいて、前記スライドショー表示を一時的に停止するステップと、
前記スライドショー表示を一時的に停止した際に表示していた画像データを特定する画像データ特定情報を記憶するステップと、
前記記憶した画像データ特定情報で特定される画像データから、前記スライドショー表示を再開するステップと、
を備えることを特徴とする画像表示装置の制御方法。
【請求項１３】
複数の画像データが格納される、画像データ格納手段を有する画像表示装置を制御するためのプログラムであって、
前記画像データ格納手段から画像データを順次読み出して、予め設定されたスライドショー設定情報に従って、連続的に画像データをスライドショー表示するステップと、
ユーザからの指示に基づいて、前記スライドショー表示を一時的に停止するステップと、
前記スライドショー表示を一時的に停止した際に表示していた画像データを特定する画像データ特定情報を記憶するステップと、
前記記憶した画像データ特定情報で特定される画像データから、前記スライドショー表示を再開するステップと、
を画像表示装置に実行させるプログラム。
【発明の詳細な説明】
【技術分野】
【０００１】
本発明は、画像表示装置及びその制御方法に関し、特に、画像データをスライドショー表示する際のユーザ利便性の向上を図った画像表示装置及びその制御方法に関する。
【背景技術】
【０００２】
デジタルカメラの普及により、個人のユーザが、デジタルカメラで撮影を行い、デジタルデータとして画像データを生成する機会が多くなってきている。デジタルカメラで撮影された画像データは、メモリカードを用いたり、或いは、ＵＳＢケーブルを用いたりして、パーソナルコンピュータやフォトビューア等の画像表示装置に取り込んで、格納することができる。
【０００３】
画像表示装置に格納されている画像データは、例えば、特開２００３−３０９８１５号公報（特許文献１）に開示されているように、スライドショーにより、連続的に表示させることができる。すなわち、画像データを設定された時間間隔で、自動的に切り替えて、連続表示させることができる。また、画像データの表示に合わせて、ＢＧＭを流すことができるものもある。さらには、画像表示を次の画像表示に切り替える際に、ブラインドを閉じるように表示している画像表示を消去し、ブラインドを開けるように次の画像表示をして、効果的な画像切替をさせることもできるものもある。これら、画像の切り替え時間間隔、効果、ＢＧＭ等のスライドショーの各種設定は、ユーザが設定画面から任意に設定できるようになっている。
【特許文献１】特開２００３−３０９８１５号公報
【発明の開示】
【発明が解決しようとする課題】
【０００４】
しかしながら、従来のスライドショーは、スライドショー開始後に、スライドショーの各種設定を変更すると、最初の画像データからスライドショーが開始されてしまい、多くの画像データがある場合には、なかなか最後まで見ることができないという問題があった。また、同じ効果、同じＢＧＭで多くの画像データを見ていると、ユーザが画像に対する興味を失ってしまいがちであるという問題もあった。
【０００５】
そこで本発明は、前記課題に鑑みてなされたものであり、画像データをスライドショー表示する際のユーザ利便性の向上を図った画像表示装置及びその制御方法を提供することを目的とする。
【課題を解決するための手段】
【０００６】
上記課題を解決するため、本発明に係る画像表示装置は、
複数の画像データが格納される、画像データ格納手段と、
前記画像データ格納手段から画像データを順次読み出して、予め設定されたスライドショー設定情報に従って、連続的に画像データをスライドショー表示する、スライドショー表示手段と、
ユーザからの指示に基づいて、前記スライドショー表示手段による画像データのスライドショー表示を一時的に停止する、一時停止手段と、
前記一時停止手段で画像データのスライドショー表示を一時的に停止した際に表示していた画像データを特定する画像データ特定情報を記憶する、画像データ特定情報記憶手段と、
前記画像データ特定情報記憶手段から、前記画像データ特定情報を読み出して、この画像データ特定情報で特定される画像データから、前記スライドショー表示を再開する、スライドショー再開手段と、
を備えることを特徴とする。
【０００７】
この場合、前記一時停止手段が前記スライドショー表示を一時的に停止した後に、前記スライドショー設定情報の設定をユーザに変更させるためのメニュー画面を表示する、メニュー画面表示手段を、さらに備えるようにしてもよい。
【０００８】
この場合、前記メニュー画面表示手段により表示された前記メニュー画面に基づいて、ユーザが前記スライドショー設定情報を変更した場合には、前記スライドショー再開手段は、この変更されたスライドショー設定情報に基づいて、前記スライドショー表示を再開するようにしてもよい。
【０００９】
また、前記スライドショー表示で画像データを表示する順序を格納する、表示順格納手段をさらに備えており、
前記表示順格納手段では、表示されている画像データと、その次に表示する画像データとが、１対１の関係で保持されているようにしてもよい。
【００１０】
また、前記スライドショー設定情報には、画像を切り替える時間間隔を設定する情報が含まれているようにしてもよい。
【００１１】
また、前記スライドショー設定情報には、どのような表示手法を用いて画像を切り替えるかを設定する情報が含まれているようにしてもよい。
【００１２】
また、前記スライドショー設定情報には、前記スライドショー表示の際に流すＢＧＭに関する設定が含まれているようにしてもよい。
【００１３】
或いは、本発明に係る画像表示装置は、
スライドショー毎に前記スライドショー設定情報を保持する、スライドショー設定情報保持手段と、
前記メニュー画面表示手段により表示された前記メニュー画面に基づいて、ユーザが前記スライドショー設定情報を変更した場合には、この変更されたスライドショー設定情報を、スライドショーに対応付けて前記スライドショー設定情報保持手段に格納する、変更情報格納手段と、
をさらに備えるようにしてもよい。
【００１４】
この場合、前記スライドショー設定情報保持手段には、１つのスライドショーに対応付けて、１つのスライドショー設定情報が保持されているようにしてもよい。
【００１５】
或いは、前記スライドショー設定情報保持手段には、１つのスライドショーに対応付けて、１又は複数のスライドショー設定情報が保持されているようにしてもよい。
【００１６】
この場合、前記スライドショー表示手段がスライドショー表示を開始する前に、前記スライドショー設定情報保持手段に保持されているスライドショー表示をしようとしているスライドショーに対応付けられて保持されている前記スライドショー設定情報の中から、ユーザに１つのスライドショー設定情報を選択させる、スライドショー設定情報選択手段を、さらに備えるようにしてもよい。
【００１７】
本発明に係る画像表示装置の制御方法は、
複数の画像データが格納される、画像データ格納手段を有する画像表示装置の制御方法であって、
前記画像データ格納手段から画像データを順次読み出して、予め設定されたスライドショー設定情報に従って、連続的に画像データをスライドショー表示するステップと、
ユーザからの指示に基づいて、前記スライドショー表示を一時的に停止するステップと、
前記スライドショー表示を一時的に停止した際に表示していた画像データを特定する画像データ特定情報を記憶するステップと、
前記記憶した画像データ特定情報で特定される画像データから、前記スライドショー表示を再開するステップと、
を備えることを特徴とする。
【００１８】
本発明に係るプログラムは、
複数の画像データが格納される、画像データ格納手段を有する画像表示装置を制御するためのプログラムであって、
前記画像データ格納手段から画像データを順次読み出して、予め設定されたスライドショー設定情報に従って、連続的に画像データをスライドショー表示するステップと、
ユーザからの指示に基づいて、前記スライドショー表示を一時的に停止するステップと、
前記スライドショー表示を一時的に停止した際に表示していた画像データを特定する画像データ特定情報を記憶するステップと、
前記記憶した画像データ特定情報で特定される画像データから、前記スライドショー表示を再開するステップと、
を画像表示装置に実行させることを特徴とする。
【発明を実施するための最良の形態】
【００１９】
〔第１実施形態〕
本実施形態に係る画像表示装置は、スライドショー表示の実行中であっても、このスライドショー表示を一時的に停止し、この停止している間に、ユーザにスライドショー表示に関する各種設定の変更を行わせ、そして、変更した各種設定を有効にした上で、一時停止した画像データから、スライドショー表示を再開するようにしたものである。より詳しくを、以下に説明する。
【００２０】
図１は、本実施形態に係る画像表示装置１０の内部構成を説明するためのブロック図である。この図１に示すように、本実施形態に係る画像表示装置１０は、ＣＰＵ（Central Processing Unit）２０と、ＲＡＭ（Random Access Memory）２２と、ハードディスク２４と、メモリカードインターフェース２６と、スピーカ出力回路２８を備えており、これらは互いに内部バス３０を介して、接続されている。スピーカ出力回路２８は、音楽や音声を出力するための回路であり、本実施形態では特に、スライドショーの際にＢＧＭを流す役割を有している。
【００２１】
また、ＣＰＵ２０の内部には、ＲＯＭ（Read Only Memory）４０とＤＳＰ（Digital Signal Processor）４２とが、内蔵されている。ＤＳＰ４２は、画像データをデータ圧縮したり、データ圧縮されている画像データを伸長したりする処理を行う。
【００２２】
さらに、ＣＰＵ２０は、専用バス５０を介して、表示用コントローラ５２に接続されており、この表示用コントローラ５２はさらに表示画面５４に接続されている。すなわち、ＣＰＵ２０が、表示すべき画像データを、専用バス５０を介して、表示用コントローラ５２に送信すると、表示用コントローラ５２はその画像データに基づいて表示画面５４の制御を行い、表示画面５４に表示する。なお、本実施形態においては、この表示画面５４は、ＬＣＤにより構成されている。
【００２３】
また、本実施形態に係る画像表示装置１０は、ＣＰＵ２０に接続されたテレビ出力回路６０を備えている。このため、ユーザは、画像表示装置１０のコネクタ（図示省略）にテレビ画像出力ケーブルを接続すれば、ＣＰＵ２０が出力した画像を家庭用のテレビで見ることができるようになる。
【００２４】
また、この画像表示装置１０には、メモリカード７０が適宜、装着される。画像表示装置１０に装着されたメモリカード７０に格納されている画像データは、メモリカードインターフェース２６を介して、この画像表示装置１０が取り込むことが可能である。具体的には、メモリカード７０に格納されている画像データは、メモリカードインターフェース２６を介して、ＣＰＵ２０が取り込み、ハードディスク２４に格納される。
【００２５】
本実施形態では、この画像表示装置１０は、携帯型のストレージデバイスであるフォトビューアを想定しているが、通常のパーソナルコンピュータやノート型コンピュータにより画像表示装置１０を構成することもできる。
【００２６】
図２は、本実施形態に係る画像表示装置１０のハードディスク２４における画像データを格納する領域部分のフォルダ構成の一例を示す図である。この図２に示す例では、フォルダ「２００４０８０９．００１」の下に、画像データ「ＤＡＴＡ−Ａ．ＪＰＧ」、「ＤＡＴＡ−Ｂ．ＪＰＧ」、「ＤＡＴＡ−Ｃ．ＪＰＧ」、「ＤＡＴＡ−Ｄ．ＪＰＧ」…が格納されている。
【００２７】
図３は、本実施形態に係る画像表示装置１０を、表示画面５４側から見た平面図である。この図３に示すように、表示画面５４の右側には、ユーザが指で操作する、メニューボタンＢ１０と、ＯＫボタンＢ１２と、キャンセルボタンＢ１４とが設けられている。また、その上にも、ユーザが指で操作する、上側移動ボタンＢ２０と、左側移動ボタンＢ２２と、右側移動ボタンＢ２４と、下側移動ボタンＢ２６とが、設けられている。
【００２８】
メニューボタンＢ１０は、表示画面５４に各種のメニュー画面を表示するための操作ボタンである。ＯＫボタンＢ１２は、メニュー画面で各種の設定を行った際に、最終的にその変更内容を確定する場合に押下される操作ボタンである。キャンセルボタンＢ１４は、メニュー画面で各種の設定を行った際に、最終的にはその変更内容を反映させない場合に押下される操作ボタンである。上側移動ボタンＢ２０と、左側移動ボタンＢ２２と、右側移動ボタンＢ２４と、下側移動ボタンＢ２６は、それぞれ、メニュー画面で指示カーソールを上側、左側、右側、下側に移動させるための操作ボタンである。
【００２９】
図４及び図５は、本実施形態に係る画像表示装置１０が実行するスライドショー実行処理を説明するフローチャートを示す図である。このスライドショー実行処理は、ＲＯＭ４０に格納されているスライドショー実行プログラムを、ＣＰＵ２０が読み込んで実行することにより、実現される処理である。また、このスライドショー実行処理は、ユーザが、メニューボタンＢ１０とＯＫボタンＢ１２と移動ボタンＢ２０、Ｂ２２、Ｂ２４、Ｂ２６とを操作して、スライドショー実行をこの画像表示装置１０に指示することにより、起動される処理である。
【００３０】
まず、図４に示すように、ユーザにより、スライドショーで表示する画像データの格納されたフォルダが、選択されたかどうかを、判断する（ステップＳ１０）。すなわち、ユーザは、メニューボタンＢ１０とＯＫボタンＢ１２とキャンセルボタンＢ１４と移動ボタンＢ２０、Ｂ２２、Ｂ２４、Ｂ２６とを操作して、スライドショーにより表示する画像データの格納されているフォルダを、指定する。ユーザによるフォルダの選択がない場合（ステップＳ１０：ＮＯ）には、このステップＳ１０の処理を繰り返して待機する。以下の説明では、図２に示したフォルダ「２００４０８０９．００１」が指定されたものと仮定する。
【００３１】
一方、ユーザによりフォルダが選択された場合（ステップＳ１０：ＹＥＳ）には、スライドショーの開始指示がユーザにより入力されたかどうかを判断する（ステップＳ１２）。すなわち、ユーザは、メニューボタンＢ１０とＯＫボタンＢ１２とキャンセルボタンＢ１４と移動ボタンＢ２０、Ｂ２２、Ｂ２４、Ｂ２６とを操作して、画像表示装置１０にスライドショーの開始指示を入力する。ユーザによるスライドショーの開始指示の入力がない場合（ステップＳ１２：ＮＯ）には、このステップＳ１２を繰り返して待機する。
【００３２】
一方、ユーザによるスライドショーの開始時の入力があった場合（ステップＳ１２：ＹＥＳ）には、スライドショーによる画像データの表示を開始する（ステップＳ１４）。図６は、本実施形態に係る表示順テーブルＴＢ１０の構成の一例を示す図である。本実施形態では、この表示順テーブルＴＢ１０は、ユーザが任意に設定するものであり、ＲＡＭ２２に形成され、格納されている。
【００３３】
この図６の例では、ＤＡＴＡ−Ａ．ＪＰＧの画像データの次には、ＤＡＴＡ−Ｂ．ＪＰＧの画像データを表示することを示しており、ＤＡＴＡ−Ｂ．ＪＰＧの画像データの次には、ＤＡＴＡ−Ｃ．ＪＰＧの画像データを表示することを示しており、ＤＡＴＡ−Ｃ．ＪＰＧの画像データの次には、ＤＡＴＡ−Ｄ．ＪＰＧの画像データを表示することを示している。すなわち、本実施形態では、表示されている画像データと、その次に表示される画像データとの対応関係が、１対１の関係で保持されている。
【００３４】
この図６の表示順テーブルＴＢ１０に基づいてスライドショー表示を行った場合、図７に示すような画像データの順で、画像データがハードディスク２４から順次連続的に読み出されて、表示画面５４に画像が表示されることとなる。すなわち、画像データＤＡＴＡ―Ａ．ＪＰＧに基づく画像Ａ、画像データＤＡＴＡ―Ｂ．ＪＰＧに基づく画像Ｂ、画像データＤＡＴＡ―Ｃ．ＪＰＧに基づく画像Ｃ、画像データＤＡＴＡ―Ｄ．ＪＰＧに基づく画像Ｄ…の順に、表示画面５４に表示される。
【００３５】
また、図８は、ＲＡＭ２２に形成される画像イメージ格納領域８０、８２を示す図である。この図８から分かるように、本実施形態においては、２つの画像イメージ格納領域８０、８２が形成される。そして、画像表示装置１０は、画像イメージ格納領域８０にＤＡＴＡ−Ａ．ＪＰＧに基づく画像イメージ（画像Ａ）を生成し、この生成した画像イメージを表示画面５４で表示する。このＤＡＴＡ−Ａ．ＪＰＧの画像Ａが表示画面５４に表示されている間に、画像イメージ格納領域８２にＤＡＴＡ−Ｂ．ＪＰＧに基づく画像イメージ（画像Ｂ）を生成する。そして、ＤＡＴＡ−Ａ．ＪＰＧの画像Ａの表示から、ＤＡＴＡ−Ｂ．ＪＰＧの画像Ｂの表示に切り替える際には、画像イメージ格納領域８２のイメージデータをそのまま読み出すだけで足りるようにしている。このように構成することで、画像の切り替えを、画像Ａをブラインドが閉じるように消去し、画像Ｂをブラインドが開くように表示したり、次第に画像Ａが次第に消去され、画像Ｂが次第に表示されるフェードイン／フェードアウトにより画像の切り替えを行うことができるようになる。
【００３６】
図９は、本実施形態に係るスライドショー設定情報テーブルＴＢ２０の構成の一例を説明する図である。画像表示装置１０がスライドショー表示をする際には、このスライドショー設定情報テーブルＴＢ２０のスライドショー設定情報に基づいて表示を行う。この図９の例では、上述したブラインドの表示手法により画像を切り替え、画像切り替えの時間間隔は５秒であり、ＢＧＭは「ＢＧＭ  Ｂ」が選択されている設定を示している。本実施形態においては、ＲＯＭ４０に格納されているデフォルトのスライドショー設定をＣＰＵ２０が読み出して、ＲＡＭ２２に格納することにより、スライドショー設定情報テーブルＴＢ２０が生成される。したがって、本実施形態においては、一旦設定したスライドショー設定情報テーブルＴＢ２０の内容は、電源を切るまで有効となる。
【００３７】
次に、図４に示すように、画像表示装置１０は、スライドショーを実行している間に、メニューボタンＢ１０が押下されたかどうかを判断する（ステップＳ１６）。
【００３８】
メニューボタンＢ１０が押下されていない場合（ステップＳ１６：ＮＯ）には、画像表示装置１０は、ユーザが選択したフォルダの下にある画像データを、すべてスライドショーで表示したかどうかを判断する（ステップＳ１８）。すべての画像データを表示していない場合（ステップＳ１８：ＮＯ）には、スライドショーを続行し（ステップＳ２２）、ステップＳ１６に戻る。
【００３９】
一方、ユーザが選択したフォルダの下にあるすべての画像データを表示した場合（ステップＳ１８：ＹＥＳ）には、スライドショーを終了し（ステップＳ２４）、このスライドショー実行処理が完了する。
【００４０】
これに対して、上述したステップＳ１６でメニューボタンＢ１０が押下されたと判断した場合（ステップＳ１６：ＹＥＳ）には、図５に示すように、画像表示装置１０は、スライドショーを一時停止する（ステップＳ４０）。
【００４１】
次に、画像表示装置１０は、どの画像でスライドショーを一時停止したのかを特定する情報を、記憶する（ステップＳ４２）。本実施形態では、この情報は、ＲＡＭ２２に格納される。例えば、画像データＤＡＴＡ−Ｂ．ＪＰＧの画像Ｂでスライドショーが一時停止されたとすると、この画像Ｂを特定する情報を記憶する。
【００４２】
次に、画像表示装置１０は、表示画面５４に、スライドショー設定変更メニューを表示する（ステップＳ４４）。図１０は、本実施形態に係るスライドショー設定変更メニューＷ１０の一例を示す図である。この図１０に示すように、スライドショー設定変更メニューＷ１０では、スライドショーの効果の設定を変更したり、スライドショーの時間間隔の設定を変更したり、スライドショーのＢＧＭの設定を変更したりすることができる。
【００４３】
スライドショーの効果の設定を変更することにより、例えば、画面を切り替える際の表示手法を、ブライドを閉じたり開いたりするように切り替える手法から、次第に次の画像へフェードイン／フェードアウトするような手法に、変更することができる。また、スライドショーの時間間隔の設定を変更することにより、例えば、５秒間隔で次の画像に切り替えていたのを、１０秒間隔で次の画像に切り替えるように変更することができる。さらにまた、スライドショーのＢＧＭの設定を変更することにより、「ＢＧＭ  Ｂ」をスライドショーのＢＧＭとして用いていたのを、「ＢＧＭなし」に変更することができる。この図１０の例では、ユーザがスライドショーのＢＧＭの設定を「ＢＧＭなし」に変更している状態を示している。
【００４４】
次に、図５に示すように、画像表示装置１０は、ＯＫボタンＢ１２が押下されたかどうかを判断する（ステップＳ４６）。ＯＫボタンＢ１２が押下された場合（ステップＳ４６：ＹＥＳ）には、画像表示装置１０は、変更された設定を有効にする（ステップＳ４８）。具体的には、変更された設定内容で図９のスライドショー設定情報テーブルＴＢ２０を変更し、ユーザの設定変更を反映させる。
【００４５】
次に、画像表示装置１０は、スライドショー設定情報テーブルＴＢ２０からスライドショー設定情報を読み出して、また、ＲＡＭ２２から一時停止した画像を特定する情報を読み出して、その画像データからスライドショーを再開する（ステップＳ５０）。この例では、「ＢＧＭなし」という変更された設定で、画像データＤＡＴＡ−Ｂ．ＪＰＧの画像Ｂから、スライドショーを再開する。そして、上述した図４のステップＳ１６の処理からを繰り返す。
【００４６】
これに対して、上述したステップＳ４６でＯＫボタンＢ１２が押下されていないと判断した場合（ステップＳ４６：ＮＯ）には、画像表示装置１０は、キャンセルボタンＢ１４が押下されたかどうかを判断する（ステップＳ５２）。キャンセルボタンＢ１４が押下された場合（ステップＳ５２：ＹＥＳ）には、設定を変更することなく、一時停止した画像データから、スライドショーを再開する（ステップＳ５０）。そして、上述した図４のステップＳ１６の処理からを繰り返す。すなわち、ステップＳ４８が実行されないので、スライドショー設定情報テーブルＴＢ２０のスライドショー設定情報は変更されない。そして、画像表示装置１０は、このスライドショー設定情報テーブルＴＢ２０のスライドショー設定情報を読み出して、また、ＲＡＭ２２から一時停止した画像を特定する情報を読み出して、その画像データからスライドショーを再開する。このため、スライドショーの設定は変わらないまま、一時停止した画像からスライドショーが再開されることとなる。
【００４７】
一方、ステップＳ５２で、キャンセルボタンＢ１４が押下されていないと判断した場合（ステップＳ５２：ＮＯ）には、ステップＳ４６からを繰り返す。
【００４８】
以上のように、本実施形態に係る画像表示装置１０によれば、スライドショーを途中で一時停止させ、このスライドショーの設定を変更した上で、再度、一時停止した画像からスライドショーを再開することができる。このため、ユーザが画像に対する興味を失わない状態で、最後まで画像を鑑賞することができるようになる。
【００４９】
〔第２実施形態〕
上述した第１実施形態においては、スライドショー設定情報は、ＲＡＭ２２内のスライドショー設定情報テーブルＴＢ２０に格納されることとした。このため、一旦なされたスライドショーの設定は、この画像表示装置１０の電源をオフにするまでは有効であった。すなわち、スライドショーを一時停止して行ったスライドショーの設定は、そのスライドショーが終了して別のスライドショーを開始した場合でも有効であった。これに対して、第２実施形態においては、スライドショー毎にスライドショー設定情報を保持するようにし、同じスライドショー再生を行った場合には、前回と同じ設定でスライドショーが実行されるようにしたものである。以下、上述した第１実施形態と異なる部分のみを説明する。
【００５０】
図１１及び図１２は、本実施形態に係る画像表示装置１０が実行するスライドショー実行処理を説明するフローチャートを示す図であり、上述した第１実施形態における図４及び図５に対応している。
【００５１】
本実施形態においては、ステップＳ１０でユーザにより、スライドショーで表示する画像データの格納されたフォルダが選択された場合（ステップＳ１０：ＹＥＳ）には、画像表示装置１０は、そのフォルダのスライドショー設定情報が、設定履歴ファイルに、登録されているかどうかを判断する（ステップＳ１００）。
【００５２】
本実施形態においては、例えば、ハードディスク２４においては、画像データを格納するために、図１３に示すようなフォルダ構成が形成されているとする。そして、ハードディスクドライブ２４には、図１４に示すような設定履歴ファイルＦ１０が格納されているとする。
【００５３】
すなわち、本実施形態においては、設定履歴ファイルＦ１０は、データ項目として、スライドショー特定情報と、効果と、間隔と、ＢＧＭとを備えている。スライドショー特定情報は、スライドショーを特定するための情報であり、本実施形態においては、フォルダ名をこのスライドショー特定情報として保持している。これは、本実施形態においては、スライドショーがフォルダ単位で実行されるため、フォルダ名をスライドショー特定情報として使用できるからである。但し、これ以外の手法で、スライドショーを特定するようにしてもよいし、スライドショーとスライドショー表示する画像データとの対応関係を、特定するようにしてもよい。
【００５４】
そして、このスライドショー特定情報に対応して、ユーザが設定したスライドショー設定情報として、効果と間隔とＢＧＭとが格納されている。このため、ステップＳ１００では、画像表示装置１０は、設定履歴ファイルＦ１０を検索し、ユーザが選択したフォルダ名と同じフォルダ名が、この設定履歴ファイルＦ１０に格納されているかどうかを判断する。
【００５５】
このステップＳ１００において、ユーザが選択したフォルダのスライドショー設定情報が、設定履歴ファイルＦ１０に登録されていると判断した場合（ステップＳ１００：ＹＥＳ）には、画像表示装置１０は、そのスライドショー設定情報を取得する（ステップＳ１０２）。例えば、ユーザがスライドショーを実行するフォルダとして、フォルダ「２００４０８０９．００１」を選択したとすると、図１４におけるスライドショー特定情報が「２００４０８０９．００１」であるレコードが検出され、効果として「ブラインド」が取得され、間隔として「５秒」が取得され、ＢＧＭとして「ＢＧＭ  Ｂ」が取得される。
【００５６】
一方、ステップＳ１００において、ユーザが選択したフォルダのスライドショー設定情報が、設定履歴ファイルＦ１０に登録されていないと判断した場合（ステップＳ１００：ＮＯ）には、画像表示装置１０は、ＲＯＭ４０に格納されているデフォルトのスライドショー設定情報を取得する（ステップＳ１０４）。
【００５７】
これらステップＳ１０２及びステップＳ１０４の後のステップＳ１２からステップＳ２４までの処理は、上述した第１実施形態と同様である。
【００５８】
ステップＳ１６において、メニューボタンが押下されたと判断した場合（ステップＳ１６：ＹＥＳ）には、図１２に示す処理が行われる。この図１２においても、ステップＳ４０から５２までの処理は、上述した第１実施形態と同様である。
【００５９】
但し、ステップＳ４６において、ＯＫボタンが押下されたと判断した場合（ステップＳ４６：ＹＥＳ）には、ユーザの行った新しいスライドショー設定情報を、設定履歴ファイルＦ１０に登録する（ステップＳ１１０）。すなわち、ユーザの設定した効果、間隔、ＢＧＭを、フォルダ名と対応付けて、設定履歴ファイルＦ１０に格納する。ここで、現在実行しているスライドショーのフォルダ名が設定履歴ファイルＦ１０にすでに存在する場合には、ユーザの設定した新しいスライドショー設定情報を、これまでのスライドショー設定情報に上書きすることになり、現在実行しているスライドショーのフォルダ名が設定履歴ファイルＦ１０に存在しない場合には、ユーザの設定したスライドショー設定情報を新たに設定履歴ファイルＦ１０に登録することとなる。このことから分かるように、ユーザが、デフォルトのスライドショー設定から何らかの変更を加えたフォルダ名だけが、この設定履歴ファイルＦ１０に登録されていることになる。
【００６０】
そして、このステップＳ１１０の後、ＲＡＭ２２から一時停止した画像を特定する情報を読み出して、ユーザの設定したスライドショー設定で、スライドショーを再開する（ステップＳ５０）。
【００６１】
以上のように、本実施形態に係る画像表示装置１０によっても、スライドショーを途中で一時停止させ、このスライドショーの設定を変更した上で、再度、一時停止した画像からスライドショーを再開することができる。このため、ユーザが画像に対する興味を失わない状態で、最後まで画像を鑑賞することができるようになる。
【００６２】
しかも、スライドショー毎に、スライドショー設定情報を格納し保持しておくこととしたので、ユーザがそのスライドショーについて前回行った設定と同じ設定で、その後もそのスライドショーを楽しむことができる。つまり、ユーザは、スライドショー毎に異なるスライドショー設定情報を登録し、スライドショーを実行させることができるようになる。
【００６３】
〔第３実施形態〕
上述した第２実施形態においては、１つのスライドショーにつき、１つのスライドショー設定のみが登録できるようにしていたが、第３実施形態においては、１つのスライドショーにつき、１又は複数のスライドショー設定が登録できるようにするとともに、登録されているスライドショー設定の中からユーザが任意の１つを選択できるようにしたものである。以下、上述した第２実施形態と異なる部分のみを説明する。
【００６４】
図１５及び図１６は、本実施形態に係る画像表示装置１０が実行するスライドショー実行処理を説明するフローチャートを示す図であり、上述した第２実施形態における図１１及び図１２に対応している。
【００６５】
図１５に示すように、本実施形態においては、ステップＳ１０でユーザにより、スライドショーで表示する画像データの格納されたフォルダが選択された場合（ステップＳ１０：ＹＥＳ）には、画像表示装置１０は、そのフォルダに対応するスライドショー設定情報が、設定履歴ファイルに、少なくとも１つ登録されているかどうかを判断する（ステップＳ２００）。
【００６６】
本実施形態において、例えば、上述した図１３に示すようなフォルダ構成を想定し、ステップＳ１０でユーザがフォルダ「２００４０８０９．００１」を選択したとする。そして、図１７に示すような設定履歴ファイルＦ２０がハードディスクドライブ２４に格納されていると想定すると、画像表示装置１０は、設定履歴ファイルＦ２０のスライドショー特定情報を検索して、ユーザが選択したフォルダ「２００４０８０９．００１」がすくなくとも１つ、この設定履歴ファイルＦ２０に登録されているかどうかを判断する。
【００６７】
ユーザが選択したフォルダが設定履歴ファイルＦ２０にすくなくとも１つ登録されている場合（ステップＳ２００：ＹＥＳ）には、この設定履歴ファイルＦ２０に登録されているユーザの選択したフォルダのスライドショー設定をすべて取得する（ステップＳ２０２）。上述した図１７の例では、３つのスライドショー設定情報が、フォルダ「２００４０８０９．００１」に対応付けられて保持されているので、画像表示装置１０はこの３つのスライドショー設定情報を取得する。
【００６８】
次に、画像表示装置１０は、表示画面５４に設定選択画面を表示する（ステップＳ２０４）。図１８は、表示画面５４に表示される設定選択画面Ｗ２０の一例を示す図である。この図１８に示すように、ユーザが選択ボタンＢ３０を操作すると、設定履歴ファイルＦ２０に保持されている、選択したスライドショーについてのスライドショー設定情報が順番に表示される。この例では、３つのスライドショー設定情報が保持されているので、ユーザがボタンＢ３０をクリックする毎に、Ｎｏ．１、Ｎｏ．２、Ｎｏ．３のスライドショー設定情報が順番に表示される。そして、ユーザは、自分の気に入ったスライドショー設定情報がこの設定選択画面Ｂ２０に表示されている際に、決定ボタンＢ３２をクリックすることにより、１つのスライドショー設定情報を選択する。
【００６９】
このため、画像表示装置１０は、ステップＳ２０６において、ユーザがスライドショー設定を１つ選択し、決定ボタンＢ３２をクリックしたかどうかを判断し、決定ボタンＢ３２がクリックされていない場合（ステップＳ２０６：ＮＯ）には、このステップＳ２０６の処理を繰り返して待機する。
【００７０】
一方、決定ボタンＢ３２がクリックされたと判断した場合（ステップＳ２０６：ＹＥＳ）には、画像表示装置１０はユーザが選択したスライドショー設定情報を取得する（ステップＳ２０８）。例えば、ユーザがＮｏ．１のスライドショー設定情報を選択した場合には、画像表示装置１０は、効果として「ブラインド」を取得し、間隔として「５秒」を取得し、ＢＧＭとして「ＢＧＭ  Ｂ」を取得する。
【００７１】
これに対して、上述したステップＳ２００において、ユーザが選択したフォルダが設定履歴ファイルＦ２０に登録されていないと判断した場合（ステップＳ２００：ＮＯ）には、画像表示装置１０は、ＲＯＭ４０に格納されているデフォルトのスライドショー設定情報を取得する（ステップＳ２１０）。
【００７２】
これらステップＳ２０８及びステップＳ２１０の後のステップＳ１２からステップＳ２４までの処理は、上述した第１実施形態と同様である。すなわち、ユーザが選択したスライドショー設定で、ユーザが選択したフォルダのスライドショーを実行するか、若しくは、デフォルトで設定されているスライドショー設定で、ユーザが選択したフォルダのスライドショーを実行する。
【００７３】
ステップＳ１６において、メニューボタンが押下されたと判断した場合（ステップＳ１６：ＹＥＳ）には、図１６に示す処理が行われる。この図１６においても、ステップＳ４０から５２までの処理は、上述した第１実施形態と同様である。
【００７４】
但し、ステップＳ４６において、ＯＫボタンが押下されたと判断した場合（ステップＳ４６：ＹＥＳ）には、ユーザの行った新たなスライドショー設定を、設定履歴ファイルＦ１０に追加で登録する（ステップＳ２２０）。すなわち、ユーザの設定した効果、間隔、ＢＧＭを、フォルダ名と対応付けて、設定履歴ファイルＦ１０に追加で格納する。
【００７５】
上述した第２実施形態と比べると、第２実施形態においては、現在実行しているスライドショーのスライドショー設定情報がすでに設定履歴ファイルＦ１０に存在する場合には、新しいスライドショー設定をこれに上書きすることとしたが、本実施形態では追加で設定履歴ファイルＦ２０に格納する点が相違する。このため、これまでユーザが登録したスライドショー設定も、そのまま設定履歴ファイルＦ２０に保持される。
【００７６】
そして、このステップＳ２２０の後、ＲＡＭ２２から一時停止した画像を特定する情報を読み出して、ユーザの設定したスライドショー設定で、スライドショーを再開する（ステップＳ５０）。
【００７７】
以上のように、本実施形態に係る画像表示装置１０によっても、スライドショーを途中で一時停止させ、このスライドショーの設定を変更した上で、再度、一時停止した画像からスライドショーを再開することができる。このため、ユーザが画像に対する興味を失わない状態で、最後まで画像を鑑賞することができるようになる。
【００７８】
しかも、スライドショー毎に、スライドショー設定情報を複数格納し保持しておくことができるようにし、且つ、ユーザはこの保持されているスライドショー設定情報の中から１つを選択してスライドショーが実行できるようにしたので、ユーザがスライドショーを実行しようとしているフォルダについて、これまで登録したスライドショー設定情報の中から最適なものを選択して、実行することができる。
【００７９】
なお、本発明は上記実施形態に限定されず種々に変形可能である。例えば、上述した実施形態では、スライドショーを一時停止した際に、このスライドショーの設定の変更を行うこととしたが、これ以外の処理を行うようような場合でも、本発明を適用することができる。例えば、表示画面５４の明るさの設定や、節電モードの設定などを行ってから、スライドショーが一時停止した画像から再開されるようにしてもよい。
【００８０】
また、上述した実施形態では、スライドショーを一時停止した場合におけるスライドショー設定情報の変更を説明したが、スライドショー表示を開始する前、又は、スライドショー表示が終了した後に、スライドショー設定情報を変更できるようにしてもよい。この場合、変更したスライドショー設定情報は、第１実施形態ではスライドショー設定情報テーブルＴＢ２０に格納するようにし、第２実施形態では設定履歴ファイルＦ１０に格納するようにし、第３実施形態では設定履歴ファイルＦ２０に格納するようにすればよい。
【００８１】
また、上述した実施形態では、スライドショー実行処理をソフトウエア処理により実現する例を説明したが、このスライドショー実行処理をハードウェア処理により実現するようにしてもよい。
【００８２】
また、上述の実施形態で説明したスライドショー実行処理については、この処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを画像表示装置１０に読み込ませ、実行させることにより、上述した実施形態を実現することができる。
【００８３】
また、画像表示装置１０は、オペレーティングシステムや別のアプリケーションプログラム等の他のプログラムを備える場合がある。この場合、画像表示装置１０の備える他のプログラムを活用するために、その画像表示装置１０が備えるプログラムの中から、上述した実施形態と同等の処理を実現するプログラムを呼び出すような命令を含むプログラムを、記録媒体に記録するようにしてもよい。
【００８４】
さらに、このようなプログラムは、記録媒体の形ではなく、ネットワークを通じて搬送波として頒布することも可能である。ネットワーク上を搬送波の形で伝送されたプログラムは、画像表示装置１０に取り込まれて、このプログラムを実行することにより上述した実施形態を実現することができる。
【００８５】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ画像表示装置１０は、そのプログラムの復号や伸張を行った上で、実行する必要がある。
【図面の簡単な説明】
【００８６】
【図１】第１実施形態に係る画像表示装置の内部構成の一例を示す図。
【図２】第１実施形態に係るフォルダ内における画像データの構成の一例を示す図。
【図３】画像表示装置における表示画面側の平面レイアウトの一例を示す図。
【図４】第１実施形態に係る画像表示装置が実行するスライドショー実行処理の一例を示す図（その１）。
【図５】第１実施形態に係る画像表示装置が実行するスライドショー実行処理の一例を示す図（その２）。
【図６】第１実施形態に係る表示順テーブルの構成の一例を示す図。
【図７】第１実施形態に係る画像データの表示順の一例を示す図。
【図８】第１実施形態に係るＲＡＭに形成される画像イメージ格納領域の構成の一例を示す図。
【図９】第１実施形態に係るスライドショー設定情報テーブルの構成の一例を示す図。
【図１０】第１実施形態に係る画像表示装置の表示画面に表示されるスライドショー設定変更メニューの一例を示す図。
【図１１】第２実施形態に係る画像表示装置が実行するスライドショー実行処理の一例を示す図（その１）。
【図１２】第２実施形態に係る画像表示装置が実行するスライドショー実行処理の一例を示す図（その２）。
【図１３】第２実施形態に係るフォルダ内における画像データの構成の一例を示す図。
【図１４】第２実施形態に係る設定履歴ファイルの構成の一例を示す図。
【図１５】第３実施形態に係る画像表示装置が実行するスライドショー実行処理の一例を示す図（その１）。
【図１６】第３実施形態に係る画像表示装置が実行するスライドショー実行処理の一例を示す図（その２）。
【図１７】第３実施形態に係る設定履歴ファイルの構成の一例を示す図。
【図１８】第３実施形態に係る画像表示装置に表示される設定選択画面の一例を示す図。
【符号の説明】
【００８７】
１０  画像表示装置
２０  ＣＰＵ
２２  ＲＡＭ
２４  ハードディスク
２６  メモリカードインターフェース
２８  スピーカ出力回路
３０  内部バス
４０  ＲＯＭ
４２  ＤＳＰ
５０  専用バス
５２  表示用コントローラ
５４  表示画面
６０  テレビ出力回路
７０  メモリカード
【図１】
2006121644.tif 000003
【図２】
2006121644.tif 000004
【図３】
2006121644.tif 000005
【図４】
2006121644.tif 000006
【図５】
2006121644.tif 000007
【図６】
2006121644.tif 000008
【図７】
2006121644.tif 000009
【図８】
2006121644.tif 000010
【図９】
2006121644.tif 000011
【図１０】
2006121644.tif 000012
【図１１】
2006121644.tif 000013
【図１２】
2006121644.tif 000014
【図１３】
2006121644.tif 000015
【図１４】
2006121644.tif 000016
【図１５】
2006121644.tif 000017
【図１６】
2006121644.tif 000018
【図１７】
2006121644.tif 000019
【図１８】
2006121644.tif 000020